(57)【要約】【課題】  反射部材のガタツキが生じる虞が少ないヘッドアップディスプレイ装置を提供する。【解決手段】  表示光Ｌを発する液晶表示素子２２と、表示光Ｌを反射させるコールドミラー３１と、このコールドミラー３１を収納する収納壁３３ｃを有するケース部材３２とを備え、コールドミラー３１によって反射された表示光Ｌをフロントガラス１３に投影し、虚像を表示するヘッドアップディスプレイ装置において、収納壁３３ｃが、コールドミラー３１の相対する一対の側面部Ｐ１、Ｐ２に沿うように設けられ、コールドミラー３１を挟んで対向する一対の対向壁６０、６１を備えてなるとともに、一対の対向壁６０、６１のうち一方の対向壁６０には、コールドミラー３１を他方の対向壁６１側に押し付ける弾性片６０ａが形成されてなる。【選択図】図４
2009109798.tif 000002
【特許請求の範囲】
【請求項１】
表示光を発する表示素子と、前記表示光を反射させる反射部材と、前記反射部材を収納する収納部を有するケース部材とを備え、
前記反射部材によって反射された前記表示光を投影部材に投影し、虚像を表示するヘッドアップディスプレイ装置において、
前記収納部が、前記反射部材の相対する一対の側面部に沿うように設けられ、前記反射部材を挟んで対向する一対の対向壁を備えてなるとともに、
前記一対の対向壁のうち一方の対向壁には、前記反射部材を他方の対向壁側に押し付ける弾性片が形成されてなることを特徴とするヘッドアップディスプレイ装置。
【発明の詳細な説明】
【技術分野】
【０００１】
本発明は、表示器（表示素子）が発した表示光を反射部材を用いてフロントガラス等の投影部材に投影し、虚像を表示するヘッドアップディスプレイ装置に関するものである。
【背景技術】
【０００２】
従来より、この種のヘッドアップディスプレイ装置にあっては、例えば下記特許文献１に記載のごとく、車両のフロントガラス（投影部材）に表示器からの表示光を投射して虚像を表示するものが知られている。
【０００３】
かかる特許文献１に記載のヘッドアップディスプレイ装置は、車両のインストルメントパネル（以下、インパネと言う）内部に取り付けられており、表示光を発する表示素子と、表示素子の真上に位置し、表示素子が発した表示光を凹面鏡側に反射させるコールドミラー（反射部材）と、このコールドミラーによって反射された表示光を投影部材側に投射するための凹面鏡と、表示素子とコールドミラーと凹面鏡とを収容するハウジングとを備え、コールドミラー並びに凹面鏡によって反射された表示光をハウジングに形成された出射部（透光性カバー）を通じて投影部材に投影して虚像表示を行うものである。
【特許文献１】特開２００３−３４４８０１号公報
【０００４】
ところで、コールドミラーＫは、例えば図６に示すように例えば黒色合成樹脂からなる上ケース体（第１のケース体）１と下ケース体（第２のケース体）２とでなるケース部材３の各ケース体１、２によってサンドイッチされた状態で取り付けられる構成が一般的となっている。なお、コールドミラーＫとケース部材３とで、反射器が構成されてなる。
【０００５】
上ケース体１は、コールドミラーＫに設けられた反射面（表示器からの表示光を反射させるための反射面）Ｋ１の所要部を臨ませるための略矩形状の窓部からなる開口部１ａと、前記所要部の周縁部分を覆うように形成される略枠形状の枠部１ｂとを備え、枠部１ｂの背面側には、コールドミラーＫを収納する収納壁（収納部）１ｃが設けられてなる。なお、開口部１ａの開口幅は、収納壁１ｃの開口幅よりも幅狭となっている。また、コールドミラーＫの反射面Ｋ１は、矩形上のガラス基板Ｋ２上に形成される。
【０００６】
また、上ケース体１における外周部の適宜箇所には、複数個の係合部（図示せず）が設けられ、前記各係合部が下ケース体２に設けられた複数個の係止部に各々係止されることで、上ケース体１と下ケース体２とが嵌合固定（フック固定）されるようになっている。一方、下ケース体２は、コールドミラーＫの背面側を覆う覆い部からなり、コールドミラーＫの背面を支持する支持部２ａを備えてなる。
【０００７】
そして、両ケース体１、２を用いてコールドミラーＫを取り付ける（固定する）にあたっては、まず、例えば上ケース体１の背面側を上にした状態で、コールドミラー３１を収納壁３３ｃ内に収納（収容）する。このとき、前記反射面の所要部が開口部１ａに臨むようにコールドミラーＫが収納される。
【０００８】
次いで、コールドミラーＫを収納固定してなる収納壁１ｃ（上ケース体１）上に、支持部２ａと、コールドミラーＫの前記背面並びに枠部１ｂ背面とが当接するように下ケース体２を載置する。この際、上ケース体１に設けられた前記各係合部が、下ケース体２に設けられた前記各係止部に各々係止されることで、コールドミラー３１は、その板厚方向において、枠部１ｂと支持部２ａと間に固定されてなる。以上により、各ケース体１、２を用いて、コールドミラーＫが取り付けられる。
【発明の開示】
【発明が解決しようとする課題】
【０００９】
上述したヘッドアップディスプレイ装置の場合、コールドミラーＫが各ケース体１、２によって収納固定される構成となっている。この際、コールドミラーＫの側面部（４つの側面部）が収納壁１ｃの内壁面とクリアランス無く当接するように、コールドミラーＫが各ケース体１、２によって収納固定される構成とするのが好ましいが、コールドミラーＫや上ケース体１、下ケース体２における各部の寸法には、寸法公差が存在するため、前記クリアランスを無くすことはできない。
【００１０】
つまり、図６中、コールドミラーＫの側面部Ｋ３、Ｋ４と、コールドミラーＫを挟んで側面部Ｋ３、Ｋ４と対向する一対の対向面（対向壁）である収納壁１ｃの内壁面１ｄ、１ｅとの間には、微少クリアランスＳ１、Ｓ２が生じてしまうことがあった。なお、仮に側面部Ｋ３と内壁面１ｄとを密着させて微少クリアランスＳ１を無くした場合であっても、側面部Ｋ４と内壁面１ｅとの間に生じる微少クリアランスＳ２は必ず生じることになる。
【００１１】
従って、このように側面部Ｋ３、Ｋ４と収納壁１ｃの内壁面１ｄ、１ｅとの間に、前記寸法公差に伴う微少クリアランスＳ１や微少クリアランスＳ２が生じてなる前記反射器を備えたヘッドアップディスプレイ装置を車両のインパネ内部に搭載した際、車両の振動等によって、反射部材であるコールドミラーＫが、内壁面１ｄ、１ｅ間にてコールドミラーＫの面方向に沿い若干動いてしまう場合があり、これによりコールドミラーＫにガタツキが生じる虞があった。
そこで本発明は、前述の課題に対して対処するため、反射部材のガタツキが生じる虞が少ないヘッドアップディスプレイ装置の提供を目的とするものである。
【課題を解決するための手段】
【００１２】
本発明は、表示光を発する表示素子と、前記表示光を反射させる反射部材と、前記反射部材を収納する収納部を有するケース部材とを備え、前記反射部材によって反射された前記表示光を投影部材に投影し、虚像を表示するヘッドアップディスプレイ装置において、前記収納部が、前記反射部材の相対する一対の側面部に沿うように設けられ、前記反射部材を挟んで対向する一対の対向壁を備えてなるとともに、前記一対の対向壁のうち一方の対向壁には、前記反射部材を他方の対向壁側に押し付ける弾性片が形成されてなることを特徴とする。
【発明の効果】
【００１３】
本発明によれば、初期の目的を達成でき、反射部材のガタツキが生じる虞が少ないヘッドアップディスプレイ装置を提供できる。
【発明を実施するための最良の形態】
【００１４】
以下、添付図面に基づいて、本発明を車両用のヘッドアップディスプレイ装置に適用した一実施形態を説明する。なお、図１から図５は、本発明の実施形態を示すものであり、図１は本発明の実施形態によるヘッドアップディスプレイ装置の概略図、図２は同実施形態によるヘッドアップディスプレイ装置の断面図、図３は同実施形態による第１反射器の断面図、図４は同実施形態による第１のケース体の背面図、図５は図４中、矢印Ｚ方向から見たときの第１のケース体の一部を示す図である。
【００１５】
ヘッドアップディスプレイ装置は、図１に示すように車両１０のインパネ１１内部に配設された表示ユニットである表示装置１２が投射する表示光Ｌを投影部材である車両１０のフロントガラス１３で車両１０の運転者（利用者）１４の方向に反射させ、虚像Ｖを表示するものである。換言すれば、ヘッドアップディスプレイ装置は、表示装置１２の後述する液晶表示器から発せられる表示光Ｌをフロントガラス１３（前記投影部材）に出射（投射）し、この出射によって得られた表示像（虚像）Ｖを利用者１４に視認させるものである。これにより利用者１４は、虚像Ｖを風景と重畳させて観察することができる。
【００１６】
表示装置１２は、図２に示すように液晶表示器２０と、第１反射器３０と、第２反射器４０と、ハウジング５０とから主に構成されている。
【００１７】
液晶表示器２０は、配線基板Ｒに実装された発光ダイオードからなる光源２１と、この光源２１からの照明光を透過して表示光Ｌを形成するように光源２１の前方側（真上）に位置するＴＦＴ型の液晶表示素子（表示素子）２２とから主に構成される。このことは、液晶表示素子２２の背後（直下）に光源２１が配設され、液晶表示素子２２は、光源２１から発せられる光により、所定情報（後述する表示すべき情報）を表示することを意味している。かかる液晶表示器２０は、表示光Ｌの出射側の面が第１反射器３０の後述するコールドミラーに対向するようにしてハウジング５０内に設けられ、表示光Ｌの光軸が前記コールドミラーに交わるような位置や向きにて固定保持される。
【００１８】
また液晶表示素子２２は、図示しない素子駆動回路によって表示すべき情報（例えば車両の速度やエンジン回転数）を、数値等で発光表示する。液晶表示器２０は、可視波長域の光からなる表示光Ｌを出力するもので、例えば赤色光（主に発光波長域６１０〜６４０ｎｍ）を発する光源２１を適用することができる。なお、前記表示すべき情報は、車両の速度やエンジン回転数に限らず、あらゆる表示形態を採用できることは言うまでもない。
【００１９】
第１反射器３０は、コールドミラー（反射部材）３１と、このコールドミラー３１を取り付けるための取付部材であるケース部材３２とを有している。
【００２０】
コールドミラー３１は、略矩形状のガラス基板３１ａと、このガラス基板３１ａの片面（第２反射器４０の後述する凹面鏡と向かい合う面）に形成された第１の反射層（反射面）３１ｂとからなるものである。第１の反射層３１ｂは、膜厚が異なる多層の干渉膜からなるものであり、蒸着等の方法で形成されている。また、コールドミラー３１は、液晶表示器２０が発した表示光Ｌを、第２反射器４０（前記凹面鏡）側へ反射させるような位置に傾斜状態にて配設される。
【００２１】
なお、コールドミラー３１は、液晶表示器２０の発光波長域を含む可視波長域（４５０〜７５０ｎｍ）の光を高い反射率（例えば８０％以上）で反射し、前記可視波長域以外の光を低い反射率で反射するものである。この場合、コールドミラー３１は、前記可視波長域以外の特に赤外波長域の光（赤外線あるいは太陽光の熱線）を低い反射率（例えば１５％以下）にて反射するものが適用される。なお、第１の反射層３１ｂにて反射されない光は、コールドミラー３１を透過するように構成される。
【００２２】
また本実施形態の場合、コールドミラー３１並びに液晶表示器２０は、ハウジング５０の後述する透光性カバーから直接、臨めない位置に配設され、前記太陽光等の外部からの光（外光）が直接、当たらない構造となっている。
【００２３】
ケース部材３２は、例えば黒色の合成樹脂材料からなり、本実施形態の場合、第１のケース体３３と、第２のケース体３４とを備える。かかるケース部材３２は、所定の固定手段によりハウジング５０に固定されている。
【００２４】
第１のケース体３３は、図３、図４に示すようにその外形形状が略枠形状に形成され、コールドミラー３１における第１の反射層３１ｂの所要部を臨ませるための略矩形状の窓部からなる開口部３３ａと、前記所要部の周縁部分を覆うように形成される枠部３３ｂとを備え、枠部３３ｂの背面側には、コールドミラー３１を収納する収納壁（収納部）３３ｃが設けられてなる。なお、この場合、開口部３３ａの開口幅は、収納壁３３ｃの開口幅よりも幅狭となっている。
【００２５】
また収納壁３３ｃは、図４中、コールドミラー３１の長手方向（図４中、矢印Ｘ方向）において、コールドミラー３１の相対する一対の第１、第２側面部（側面部）Ｐ１、Ｐ２に沿うように設けられ、コールドミラー３１を挟んで対向する一対の対向壁６０、６１と、前記長手方向とは略直交する方向（図４中、矢印Ｙ方向）において、相対する一対の第３、第４側面部（側面部）Ｐ３、Ｐ４に沿うように設けられ、コールドミラー３１を挟んで対向する一対の対向壁６２、６３とで構成されてなる。
【００２６】
なお、以下の説明では、矢印Ｘ方向において対向する一対の対向壁６０、６１のうち一方の対向壁６０を第１の対向壁６０とし、他方の対向壁６１を第２の対向壁６１として説明する。また同様に、矢印Ｙ方向において対向する一対の対向壁６２、６３のうち一方の対向壁６２を第３の対向壁６２とし、他方の対向壁６３を第４の対向壁６３として説明する。
【００２７】
そして、本実施形態の場合、図４中、矢印Ｚ方向から見たときの図５に示すように、第１の対向壁６０の略中央部分には、弾性変形可能な第１の弾性片（弾性片）６０ａが設けられてなる。かかる第１の弾性片６０ａは、その先端側に略半円柱形状からなる第１の隆起部（隆起部）６０ｂを備えてなる（図４参照）。なお、第１の隆起部６０ｂを有する第１の弾性片６０ａと枠部３３ｂとの間には、弾性片６０ａを弾性変形可能とするようなスリット６０ｃが設けられてなる。
【００２８】
また、第３の対向壁６２にも、前述した第１の弾性片６０ａと同一形状からなる２つの第２の弾性片（弾性片）６２ａが設けられてなる。かかる第２の弾性片６２ａは、その先端側に曲面形状等からなる第２の隆起部（隆起部）６２ｂを各々備えてなる。なお、この第２の隆起部６２ｂを有する第２の弾性片６２ａと枠部３３ｂとの間においても、第２の弾性片６２ａを弾性変形可能とするような前述したスリット６０ｃと同形状のスリット（図示省略）が設けられていることは言うまでもない。
【００２９】
また、第１の対向壁６０や第３の対向壁６２に形成される第１の弾性片６０ａや第２の弾性片６２ａの形成個数は任意であり、例えば第１の対向壁６０に第１の弾性片６０ａを３つ設けてもよいし、あるいは第３の対向壁６２に第２の弾性片６２ａを２つ設けてもよい。
【００３０】
なお、本実施形態におけるコールドミラー３１の外形寸法は、収納壁３３ｃにコールドミラー３１が収納されていない状態にて第１のケース体３３を正視したとき、その横寸法（矢印Ｘ方向に対する寸法）が、第１の隆起部６０ｂ先端から第２の対向壁６１までの距離（最短距離）よりも大きく、且つ各対向壁６０、６１間の距離よりも小さく設定され、またその縦寸法（矢印Ｙ方向に対する寸法）が、第２の隆起部６２ｂ先端から第４の対向壁６３までの距離（最短距離）よりも大きく、且つ各対向壁６２、６３間の距離よりも小さく設定されてなるものとする。
【００３１】
そして、本実施形態では、第１のケース体３３における外周部の適宜箇所には、複数個の係合部（図示せず）が設けられ、前記各係合部が第２のケース体の後述する複数個の係止部に各々係止されることで、第１のケース体３３と第２のケース体３４とが嵌合固定（フック固定）されるようになっている。この際、コールドミラー３１は、その表裏面（つまり、第１の反射層３１ｂ側となるコールドミラー３１の表面並びに第１の反射層３１ｂ側とは反対側に位置するコールドミラー３１の背面）が第１のケース体３３における枠部３３ｂと第２のケース体３４の後述する支持部との間にサンドイッチされる構成となる。
【００３２】
一方、第２のケース体３４は、コールドミラー３１の背面側を覆う覆い部からなり、コールドミラー３１の前記背面を支持する略矩形平板状の支持部３４ａを備えてなる（図３参照）。なお、第２のケース体３４には、第１のケース体３３の前記前記各係合部に対応する複数の係止部（図示せず）がそれぞれ形成されている。
【００３３】
そして、第１、第２のケース体３３、３４を用いてコールドミラー３１を取り付ける（固定する）にあたっては、一例として詳細図示は省略するが、まず図４のごとき第１のケース体３３の背面側（各弾性片６０ａ、６２ａ側）を上にした状態で、コールドミラー３１の各側面部Ｐ１、Ｐ２、Ｐ３、Ｐ４が収納壁３３ｃにおける各対向壁６０、６１、６２、６３にそれぞれ沿うように、コールドミラー３１を収納壁３３ｃ内に収納（収容）する。このとき、第１の反射層３１ｂの前記所要部が開口部３３ａに臨むようにコールドミラー３１が収納される。
【００３４】
ところで、本実施形態では、収納壁３３ｃにおける第１の対向壁６０に第１の隆起部６０ｂを有する第１の弾性片６０ａを設け、収納壁３３ｃにおける第３の対向壁６２に第２の隆起部６２ｂを有する第２の弾性片６２ａを設けた構成となっている。
【００３５】
そして、コールドミラー３１の前記外形寸法が前述したように設定されていることで、コールドミラー３１を収納壁３３ｃに収納した際に、コールドミラー３１の第１側面部Ｐ１が第１の弾性片６０ａ（つまり第１の隆起部６０ｂ）を外側に撓ませ、且つコールドミラー３１の第３側面部Ｐ３が第２の弾性片６２ａ（つまり第２の隆起部６２ｂ）を外側に撓ませながら、コールドミラー３１の各側面部Ｐ１〜Ｐ４が、収納壁３３ｃの各対向壁６０〜６３に沿うように収納固定される。
【００３６】
かかるコールドミラー３１の収納壁３３ｃ内への収納後は、各弾性片６０ａ、６２ａには、これらを前記外側とは反対側にそれぞれ戻そうとする力（つまり各弾性片６０ａ、６２ａを元の位置に復帰させるような復帰力）が作用する。
【００３７】
このことは、第１側面部Ｐ１と当接してなる第１の弾性片６０ａの第１の隆起部６０ｂには、コールドミラー３１を前記外側とは反対側である第２の対向壁６１側に押し付ける力が作用することを意味してなり、また第３側面部Ｐ３と当接してなる第２の弾性片６２ａの第２の隆起部６２ｂには、コールドミラー３１を前記外側とは反対側である第４の対向壁６３側に押し付ける力が作用することを意味してなる。
【００３８】
すなわち、本実施形態では、第１の隆起部６０ｂ（第１の弾性片６０ａ）が、コールドミラー３１の第１側面部Ｐ１を第２の対向壁６１側に押し付けることで、コールドミラー３１の第２側面部Ｐ２が第２の対向壁６１に密着すると同時に、第２の隆起部６２ｂ（第２の弾性片６２ａ）が、コールドミラー３１の第３側面部Ｐ３を第４の対向壁６３側に押し付けることで、コールドミラー３１の第４側面部Ｐ４が第４の対向壁６３に密着する構成である。
【００３９】
換言すれば、コールドミラー３１は、第１の隆起部６０ｂと第２の対向壁６１とによって矢印Ｘ方向に対し動くことなく収納壁３３ｃ内に収納固定され、且つ第２の隆起部６２ｂと第４の対向壁６３とによって矢印Ｙ方向に対し動くことなく収納壁３３ｃ内に収納固定される（図４参照）。これにより矢印Ｘ方向並びに矢印Ｙ方向に対するコールドミラー３１のガタツキ（面方向のガタツキ）を抑制することが可能となる。
【００４０】
なお、コールドミラー３１の板厚寸法と収納壁３３ｃの高さ寸法（つまり各対向壁６０〜６３の高さ寸法）とは、略同一寸法に設定されているため、コールドミラー３１を収納壁３３ｃに収容したときに、枠部３３ｂ背面とコールドミラー１５の前記背面とは略同一面となる。
【００４１】
次いで、前述したように面方向に対しガタツキの抑制されたコールドミラー３１を収納固定してなる収納壁３３ｃ（第１のケース体３３）上に、支持部３４ａと、コールドミラー３１の前記背面並びに枠部３３ｂ背面とが当接するように第２のケース体３４を載置する。この際、第１のケース体３３に設けられた前記各係合部が、第２のケース体３４に設けられた前記各係止部に各々係止されることで、コールドミラー３１は、その板厚方向（矢印Ｘ、Ｙ方向とは直交する方向）において、枠部３３ｂと支持部３４ａと間に固定されてなる。以上により、各ケース体３３、３４を用いて、コールドミラー３１が取り付けられる。
【００４２】
第２反射器４０は、コールドミラー３１（つまり、液晶表示素子２２）からの表示光Ｌを反射させる凹面鏡４１と、この凹面鏡４１を保持するミラーホルダ４２とを備えてなる（図２参照）。
【００４３】
凹面鏡４１は、凹面を有するポリカーボネートからなる樹脂基板に第２の反射層４１ａを蒸着形成してなるものである。かかる凹面鏡４１は、その第２の反射層４１ａがコールドミラー３１並びに前記透光性カバーに対向し、前記透光性カバーから臨める位置に傾斜状態にて配設される。
【００４４】
また凹面鏡４１は、コールドミラー３１からの表示光Ｌを拡大しつつ、前記透光性カバー（車両１０のフロントガラス１３）側へ反射（投射）させるものである。このことは、凹面鏡４１が、コールドミラー３１によって反射された表示光Ｌを拡大し、この拡大された表示光Ｌを前記透光性カバーを通じてフロントガラス１３に投射することを意味している。なお、凹面鏡４１は、ミラーホルダ４２に両面粘着テープにより接着されている。ミラーホルダ４２は、合成樹脂（例えばＡＢＳ樹脂）からなるものであり、ハウジング５０に固定されてなる。
【００４５】
ハウジング５０は、例えば黒色の遮光性合成樹脂材料からなり、略箱型形状に形成され、その内部空間である空間部５１に液晶表示器２０や第１反射器３０、並びに第２反射器４０を保持して収容するものであり、第２反射器４０における凹面鏡４１の配設位置の上部（フロントガラス１３側）が開口する開口窓部５２を備えてなる。
【００４６】
またハウジング５０には、開口窓部５２を塞ぐように出射部である透光性カバー５３が配設されてなる。かかる透光性カバー５３は、透光性の合成樹脂材料（例えばアクリル樹脂）からなり、湾曲形状（曲面形状）に形成され、凹面鏡４１で反射された表示光Ｌが透過（通過）する光透過性部材としての機能を有している。つまり、コールドミラー３１並びに凹面鏡４１によって反射された表示光Ｌは、ハウジング５０に形成された透光性カバー５３を通じてフロントガラス１３に投影され、これにより虚像Ｖの表示が行われることになる。
【００４７】
以上のように本実施形態では、表示光Ｌを発する液晶表示素子２２と、表示光Ｌを反射させるコールドミラー３１と、このコールドミラー３１を収納する収納壁３３ｃを有するケース部材３２とを備え、コールドミラー３１によって反射された表示光Ｌをフロントガラス１３に投影し、虚像を表示するヘッドアップディスプレイ装置において、収納壁３３ｃが、コールドミラー３１の相対する一対の第１、第２側面部Ｐ１、Ｐ２に沿うように設けられ、コールドミラー３１を挟んで対向する一対の第１、第２の対向壁６０、６１を備えてなるとともに、一対の第１、第２の対向壁６０、６１のうち一方の対向壁（第１の対向壁）６０には、コールドミラー３１を他方の対向壁（第２の対向壁）６１側に押し付ける第１の隆起部６０ｂを有する第１の弾性片６０ａが形成されてなる。
【００４８】
また、収納壁３３ｃは、コールドミラー３１の相対する一対の第３、第４側面部Ｐ３、Ｐ４に沿うように設けられ、コールドミラー３１を挟んで対向する一対の第３、第４の対向壁６２、６３を備えてなるとともに、一対の第３、第４の対向壁６２、６３のうち一方の対向壁（第３の対向壁）６２には、コールドミラー３１を他方の対向壁（第４の対向壁）６３側に押し付ける第２の隆起部６２ｂを有する第２の弾性片６２ａが形成されてなる。
【００４９】
従って、コールドミラー３１は、第１の隆起部６０ｂ（第１の弾性片６０ａ）と第２の対向壁６１とによって矢印Ｘ方向に対し動くことなく収納壁３３ｃ内に収納固定され、且つ第２の隆起部６２ｂ（第２の弾性片６２ａ）と第４の対向壁６３とによって矢印Ｙ方向に対し動くことなく収納壁３３ｃ内に収納固定されるため、矢印Ｘ、Ｙ方向に対するコールドミラー３１のガタツキが生じる虞が少ないヘッドアップＹディスプレイ装置を提供することが可能となる。
【００５０】
また本実施形態では、収納壁３３ｃを構成する４つの対向壁６０〜６３のうち、互いに向かい合う位置関係となっていない第１、第３の対向壁６０、６２に、それぞれ第１、第２の弾性片６０ａ、６２ａを設けた例について説明したが、例えば各弾性片６０ａ、６２ａのうち、第１の弾性片６０ａを廃止して、第２の弾性片６２ａにてコールドミラー３１を第４の対向壁６３側を押し付ける構成とするか、あるいは各弾性片６０ａ、６２ａのうち、第２の弾性片６２ａを廃止して、第１の弾性片６０ａにてコールドミラー３１を第２の対向壁６１側に押し付ける構成とした場合であっても、本実施形態と同様の作用効果を得ることができる。
【００５１】
なお、本実施形態では、各隆起部６０ｂ、６２ｂが略半円柱形状からなる例について説明したが、各隆起部６０ｂ、６２ｂの形状は、コールドミラー３１を第２、第４の対向壁６１、６３側に各々押し付けることが可能であればあらゆる形状を採用することが可能であり、例えば隆起部６０ｂ、６２ｂの形状を角柱形状としてもよい。
【図面の簡単な説明】
【００５２】
【図１】本発明の実施形態によるヘッドアップディスプレイ装置の概略図である。
【図２】同実施形態によるヘッドアップディスプレイ装置の断面図である。
【図３】同実施形態による第１反射器の断面図である。
【図４】同実施形態による第１のケース体の背面図である。
【図５】図４中、矢印Ｚ方向から見たときの第１のケース体の一部を示す図である。
【図６】従来技術による反射部材とケース部材の断面図である。
【符号の説明】
【００５３】
１３    フロントガラス（投影部材）
２０    液晶表示器
２２    液晶表示素子（表示素子）
３０    第１反射器
３１    コールドミラー（反射部材）
３２    ケース部材
３３    第１のケース体
３３ａ  開口部
３３ｂ  枠部
３３ｃ  収納壁（収納部）
３４    第２のケース体
６０    第１の対向壁（一方の対向壁）
６０ａ  第１の弾性片（弾性片）
６０ｂ  第１の隆起部
６１    第２の対向壁（他方の対向壁）
６２    第３の対向壁（一方の対向壁）
６２ａ  第２の弾性片（弾性片）
６２ｂ  第２の隆起部
６３    第４の対向壁（他方の対向壁）
Ｌ    表示光
Ｐ１    第１の側面部（側面部）
Ｐ２    第２の側面部（側面部）
Ｐ３    第３の側面部（側面部）
Ｐ４    第４の側面部（側面部）
【図１】
2009109798.tif 000003
【図２】
2009109798.tif 000004
【図３】
2009109798.tif 000005
【図４】
2009109798.tif 000006
【図５】
2009109798.tif 000007
【図６】
2009109798.tif 000008